(57)【要約】【課題】天板付家具の天板にオプション部材を取り付けるに際し、天板の厚み寸法の相異に対応できかつその取り扱いが簡便であるような取付構造を実現する。【課題を解決するための手段】天板付家具の天板１にオプション部材を取り付けるための構造として、前記天板１に形成してある開口の開口縁に取り付けられる縁端部材３の一部を、前記オプション部材に設けられる取付部材４の一部で着脱可能に挟持させることとした。【選択図】図１３
2004229944.tif 000002
【特許請求の範囲】
【請求項１】
天板付家具の天板にオプション部材を取り付けるための構造であって、
前記天板に形成してある開口の開口縁に取り付けられる縁端部材の一部を、前記オプション部材に設けられる取付部材の一部で着脱可能に挟持させ、または、前記オプション部材に設けられる取付部材の一部を、前記天板に形成してある開口の開口縁に取り付けられる縁端部材の一部で着脱可能に挟持させることを特徴とする部材取付構造。
【請求項２】
前記縁端部材または前記取付部材のうち一方は上下方向に所定距離離間する一対の被挟持面を有し、他方は前記一対の被挟持面間の距離に略対応して離間する一対の挟持面を有する請求項１記載の部材取付構造。
【請求項３】
前記取付部材は、前記オプション部材を所要の取付位置に配置した状態で、前記挟持面が前記被挟持面を挟持する挟持位置と、前記挟持面のうち少なくとも一方が前記被挟持面と重なり合わなくなる離脱位置との間で略水平に回動可能なものである請求項２記載の部材取付構造。
【請求項４】
前記取付部材は、前記挟持面または前記被挟持面を有する挟持部と、該取付部材を回動操作するための操作レバーとを具備するとともに、
取付部材の回動の中心軸方向から見て、前記挟持部の突出方向と前記操作レバーの突出方向との間に差異を設けている請求項３記載の部材取付構造。
【請求項５】
前記取付部材の回動の中心軸方向から見て、前記挟持位置と前記離脱位置との間の回動角度が略９０度となり、前記操作レバーの突出方向と前記挟持部の突出方向とが略４５度の角度をなす請求項４記載の部材取付構造。
【請求項６】
前記縁端部材が上下方向に所定距離離間する一対の被挟持面を有し、前記取付部材が前記一対の被挟持面間の距離に略対応して離間する一対の挟持面を有しており、
かつ前記取付部材は、前記一対の挟持面の各々を有する上下一対の挟持部と、該取付部材を回動操作するために使用される操作レバーとを具備するとともに、
前記操作レバーを、前記挟持部のうち上側にあるものと一体的に成形している請求項３、４又は５記載の部材取付構造。
【請求項７】
前記縁端部材を装着部材を介して前記開口の開口縁に固定するようにしており、
前記装着部材には、前記開口の周縁部における天板の下面に接合する接合面を有する接合部と、該接合部より上下方向に離間する係合片とを設けるとともに、
前記縁端部材には、前記天板の厚み寸法に対応して前記係合片を異なる高さ位置で係合し得る係合孔を形成している請求項１、２、３、４、５又は６記載の部材取付構造。
【請求項８】
前記縁端部材には、前記係合片に係合させる係合孔を相異なる高さ位置に複数形成して、
前記係合孔の何れかを選択して前記係合片に係合させるように構成している請求項７記載の部材取付構造。
【請求項９】
前記縁端部材には、前記係合片に係合させた状態で前記装着部材が相対的に上下方向の変位を伴うスライド移動をなし得るような係合孔を形成して、
前記係合孔の所要部位を選択して前記係合片に係合させるように構成している請求項７記載の部材取付構造。
【請求項１０】
前記縁端部材が上下方向に所定距離離間する一対の被挟持面を有し、前記取付部材が前記一対の被挟持面間の距離に略対応して離間する一対の挟持面を有しており、
前記縁端部材を前記開口の開口縁に固定した状態で、前記被挟持面のうち上側にあるものが前記天板の上面と略同一平面上ないしそれよりも高位置に存在する請求項１、２、３、４、５、６、７、８又は９記載の部材取付構造。
【請求項１１】
前記取付部材を上方から略遮蔽するような遮蔽部を前記オプション部材に設けている請求項１、２、３、４、５、６、７、８、９又は１０記載の部材取付構造。
【請求項１２】
前記オプション部材が、電源ケーブルや情報ケーブル等のプラグを挿入するコンセントを保持し得るコンセントホルダである請求項１、２、３、４、５、６、７、８、９、１０又は１１記載の部材の取付構造。
【請求項１３】
天板と、該天板に形成した開口に取り付けられるオプション部材とを具備し、
前記オプション部材の前記天板への取り付けのための取付構造として、請求項１、２、３、４、５、６、７、８、９、１０、１１又は１２記載の部材取付構造を適用している天板付家具。
【発明の詳細な説明】
【０００１】
【発明の属する技術分野】
本発明は、デスクその他の天板付家具において、その天板にオプション品を取り付けるための構造に関する。
【０００２】
【従来の技術】
デスク等の天板に形成してある開口にオプション品を取り付けるための構造として、例えば、下記特許文献１、特許文献２に記載されているようなものが既知である。特許文献１には、天板の開口縁を上下より挟み込む一対のボックス要素をねじ等で締結することでオプション品たる配線収納ボックスを天板に取り付けるものが記載されており、特許文献２には、クランプ装置を使用してオプション品たるディスプレイを天板の上方に設置するものが記載されている。
【０００３】
【特許文献１】特開２００２−１９９５６０号公報
【特許文献２】特開２００２−１７２０２５号公報
【０００４】
【発明が解決しようとする課題】
ところで、家具製品を市場に供給するにあたり、家具製品の構成要素となる各部材の寸法は複数の段階に規格化されていることが通常である。このことは、デスク等の天板についても当てはまる。即ち、デスク等を構成する天板の厚みにもバリエーションが存在し、単一の厚み寸法に統一されてはいない。
【０００５】
しかし、特許文献１に記載されているようなものでは、異なる厚み寸法を有する天板に対応して別個の規格の配線収納ボックスを製造する必要が生じ、部材の種類の増加を招いて製造コストを高騰させかねない。また、特許文献２に記載されているようにクランプ装置を使用することとすれば、天板の厚み寸法の相異に対応することが可能ではあるものの、クランプ装置の取り扱いが比較的煩雑である嫌いは否定できない。加えて、一般にクランプ装置はねじ送り機構を内包しており、このねじ送り機構を駆動するハンドル等の周囲にはその回転操作のためにある程度のスペースを確保しておく必要がある。よって、ハンドル等が天板の下面側に配されて操作が不便となるか、あるいは逆にハンドル等が天板の上面側に露骨に現れて家具としての格調を損なうこととなる。
【０００６】
以上の問題に鑑みて、本発明は、天板付家具の天板にオプション部材を取り付けるに際し、天板の厚み寸法の相異に対応できかつその取り扱いが簡便であるような取付構造を実現しようとするものである。
【０００７】
【課題を解決するための手段】
上述した課題を解決すべく、本発明では、天板付家具の天板にオプション部材を取り付けるための構造として、前記天板に形成してある開口の開口縁に取り付けられる縁端部材の一部を、前記オプション部材に設けられる取付部材の一部で着脱可能に挟持させ、または、前記オプション部材に設けられる取付部材の一部を、前記天板に形成してある開口の開口縁に取り付けられる縁端部材の一部で着脱可能に挟持させることとした。即ち、相異なる厚み寸法を有する天板について縁端部材を共用することにより、厚み寸法の相異を吸収するようにしたのである。このようなものであれば、天板の厚み寸法に応じて別個にオプション部材を製造せずともよくなる。
【０００８】
そして、前記縁端部材または前記取付部材のうち一方は上下方向に所定距離離間する一対の被挟持面を有し、他方は前記一対の被挟持面間の距離に略対応して離間する一対の挟持面を有するものとすれば、面接触で強く安定的に挟持できる。
【０００９】
前記取付部材が、前記オプション部材を所要の取付位置に配置した状態で、前記挟持面が前記被挟持面を挟持する挟持位置と、前記挟持面のうち少なくとも一方が前記被挟持面と重なり合わなくなる離脱位置との間で略水平に回動可能なものであるならば、簡便な操作でオプション部材の着脱を行うことができる。
【００１０】
前記取付部材が、前記挟持面または前記被挟持面を有する挟持部と、該取付部材を回動操作するための操作レバーとを具備するとともに、取付部材の回動の中心軸方向から見て、前記挟持部の突出方向と前記操作レバーの突出方向との間に差異を設けるものとして、操作性やデザインの向上を図るようにしてもよい。
【００１１】
さらに、前記取付部材の回動の中心軸方向から見て、前記挟持位置と前記離脱位置との間の回動角度が略９０度となり、前記操作レバーの突出方向と前記挟持部の突出方向とが略４５度の角度をなすならば、操作レバーが絶えず天板の開口の周縁部の上に存在するようにでき、操作性の一層の向上に資する。
【００１２】
前記縁端部材が上下方向に所定距離離間する一対の被挟持面を有し、前記取付部材が前記一対の被挟持面間の距離に略対応して離間する一対の挟持面を有しており、かつ前記取付部材は、前記一対の挟持面の各々を有する上下一対の挟持部と、該取付部材を回動操作するために使用される操作レバーとを具備するとともに、前記操作レバーを、前記挟持部のうち上側にあるものと一体的に成形するならば、取付部材の構造を簡略化し得る。
【００１３】
前記縁端部材を装着部材を介して前記開口の開口縁に固定するようにしており、前記装着部材には、前記開口の周縁部における天板の下面に接合する接合面を有する接合部と、該接合部より上下方向に離間する係合片とを設けるとともに、前記縁端部材には、前記天板の厚み寸法に対応して前記係合片を異なる高さ位置で係合し得る係合孔を形成しているならば、縁端部材、ひいては該縁端部材が有する被挟持面または挟持面の天板上面に対する相対的な配置を天板の厚み寸法に依存せず一定とすることが可能である。この結果、天板上面に対するオプション部材の取り付け高さ位置が天板の厚み寸法によらず一定に保たれる。
【００１４】
好ましくは、前記縁端部材には、前記係合片に係合させる係合孔を相異なる高さ位置に複数形成して、前記係合孔の何れかを選択して前記係合片に係合させるように構成する、あるいは、前記縁端部材には、前記係合片に係合させた状態で前記装着部材が相対的に上下方向の変位を伴うスライド移動をなし得るような係合孔を形成して、前記係合孔の所要部位を選択して前記係合片に係合させるように構成する。
【００１５】
前記縁端部材が上下方向に所定距離離間する一対の被挟持面を有し、前記取付部材が前記一対の被挟持面間の距離に略対応して離間する一対の挟持面を有しており、前記縁端部材を前記開口の開口縁に固定した状態で、前記被挟持面のうち上側にあるものが前記天板の上面と略同一平面上ないしそれよりも高位置に存在するならば、天板上部と取付部材との干渉を回避し得る。このことは、天板より上方に操作レバーを設けようとする場合に有効となる。
【００１６】
前記取付部材を上方から略遮蔽するような遮蔽部を前記オプション部材に設けるようにすれば、取付部材が好適に隠蔽されて家具としての美観がより高まる。
【００１７】
前記オプション部材の一例としては、電源ケーブルや情報ケーブル等のプラグを挿入するコンセントを保持し得るコンセントホルダを挙げることができる。天板と、該天板に形成した開口に取り付けられるオプション部材とを具備する天板付家具にあって、前記オプション部材の前記天板への取り付けのための取付構造として上記の如き部材取付構造を適用することとすれば、着脱時の取り扱いを簡便なものとすることができ、かつ異なる厚み寸法の天板について共通のオプション部材を用いることが可能となる。
【００１８】
【発明の実施の形態】
以下、本発明の一実施形態を、図面を参照して説明する。図１に、本発明の一実施形態に係る天板付家具を示す。このものは、主にオフィス等で用いられるデスクであり、略矩形状をなす天板１を複数本の支柱脚に支持させてなる。天板１には、対向する二辺から略等距離に位置する中央部に幅方向に沿って開成する開口１１を形成してある。開口１１は、天板１の表裏を貫通するもので、その開口縁が平面視略矩形状をなしている。そして、この開口１１に、オプション部材たるコンセントホルダ２を取り付ける。
【００１９】
詳述すると、図２に示すように、開口１１の開口縁に縁端部材３を取り付け、この縁端部材３の一部を、コンセントホルダ２に設けてある取付部材４の一部で着脱可能に挟持させるようにしている。縁端部材３は、例えば、板金素材を塑性変形加工しさらに適宜の手段で枠体状に組み合わせて構成したものである。図３、図６等に示すように、縁端部材３は、幅方向に延伸する前後一対の基体３１と、対向する基体３１の側端部をそれぞれ連結する連結材３２とを具備し、上下に貫通する開口窓を内包するとともに、その外形は開口縁の平面視形状に略対応している。基体３１は、下面３１１と、下面３１１の内方端より略垂直に立ち上がる内向面３１３と、内向面３１３に対し略垂直であると同時に下面３１１に対し略平行な上面３１２と、上面３１２の外方端より略垂直に垂下する外向面３１４とを有して断面視多角形状をなす。上面３１２と内向面３１３との隅は、面取りして傾斜面としてある。また、下面３１１と外向面３１４との隅は、アングル状の凹陥となっている。このような縁端部材３を、後述する装着部材５を用いて天板１の開口１１の開口縁に固定する。縁端部材３を開口１１の開口縁に固定したとき、開口１１の縁端面１１１が基体３１の外向面３１４に当接する。因みに、天板１の開口１１の縁端面１１１には、内方に突出する突条１１２を形成してある。縁端部材３を開口１１の開口縁に固定したときに、この突条１１２の上向面が基体３１の凹陥の下向面に当接して、縁端部材３の荷重を支持するように働く。
【００２０】
縁端部材３の開口縁への固定は、装着部材５を介して行う。装着部材５は、天板１に形成した開口１１の周縁部の下面（天板１の下面とは一致しないこともあり得る）に接合する接合面を有する接合部５１と、該接合部５１より上下方向に離間する係合片５２ａ、５２ｂとを一体としたものである。その一方、縁端部材３には、天板１の厚み寸法に対応して前記係合片５２ａ、５２ｂを異なる高さ位置で係合し得る係合孔３１５ａ、３１５ｂを形成しておくものとする。即ち、縁端部材３とともに装着部材５もまた、相異なる厚み寸法を有する天板１について共通に用いられるものである。そして、前記係合片５２ａ、５２ｂと前記係合孔３１５ａ、３１５ｂとを係合させた状態で、装着部材５の接合部５１を天板１の開口１１の周縁部の下面に接合することにより、開口縁に縁端部材３を固定するようにしている。
【００２１】
本実施形態では、例えば、図４、図５に示すような態様で、縁端部材３の取り付けを行う。当該例において、装着部材５は、薄板上の接合部５１と、接合部５１の内方端より略垂直に立ち上がる起立板５３と、起立板５３の上端より外方に、該起立板５３に対して略垂直に突出する係合片５２ａとを具備する。接合部５１と係合片５２ａとは、互いに略平行となる。縁端部材３には、その基体３１の内向面３１３に、装着部材５の係合片５２ａに係合させるべき係合孔３１５ａを、相異なる高さ位置に複数形成している。図示例では、上下方向に沿って間欠的に３つの係合孔３１５ａを形成し、かつ３つの係合孔３１５ａの組を基体３１の中央部並びに両側部にそれぞれが互いに同一高さ位置にあるように設けてある。但し、相異なる高さ位置にある複数の係合孔３１５ａが上下方向に一直線上に並ぶとは限られず、これら係合孔３１５ａが幅方向に散開することを妨げない。そして、何れかの高さ位置にある係合孔３１５ａを選択して係合片５２ａに係合させた上、接合部５１の上向面の外方端側の一部を接合面として天板１の開口１１の周縁部の下面に当接させ、ボルトで締結する等により接合する。結果、接合部５１の上向面の内方端側の残存部分が基体３１を下方より支持しながら、起立板５３が基体３１を天板１の開口１１の縁端面１１１側に押しつける状態となる。このようにして、天板１の開口１１の開口縁に縁端部材３を取り付ける。なお、異なる厚み寸法を有する天板１に該縁端部材３を取り付けるときには、その厚み寸法に対応して係合片５２ａに係合させる係合孔３１５ａを変える。即ち、図５に示すように、比較的厚い天板１に縁端部材３を取り付けようとするときには、低位置にある係合孔３１５ａを選択して係合片５２ａを係合させるようにする。逆に、図４にしめすように、比較的薄い天板１に縁端部材３を取り付けようとするときには、高位置にある係合孔３１５ａを選択して係合片５２ａを係合させるようにする。上記のように、天板１の厚み寸法の相異に段階的に対応することができ、相異なる厚み寸法を有する天板１について、天板１上面３１２に対する縁端部材３（の上面３１２及び下面３１１）の相対的な高さ位置を一定に保つことが可能となる。縁端部材３を開口縁に固定した状態では、基体３１の上面３１２が天板１の上面３１２と略同一平面上ないしそれよりも高位置に存在する。
【００２２】
あるいは、図７、図８に示すような態様で、縁端部材３の取り付けを行うものとしてもよい。当該例においても、装着部材５は、薄板上の接合部５１と、接合部５１の内方端より略垂直に立ち上がる起立板５３と、起立板５３の上端より外方に、該起立板５３に対して略垂直に突出する係合片５２ｂとを具備する。しかしながら、接合部５１と係合片５２ｂとは、互いに略平行ではない。当該例における係合片５２ｂは、正面視水平方向に対して傾斜させてある。他方、縁端部材３には、その基体３１の内向面３１３に、装着部材５の係合片５２ｂに係合させた状態で該装着部材５が相対的に上下方向の変位を伴うスライド移動をなし得るような係合孔３１５ｂを形成している。図示例では、正面視前記係合孔３１５ｂの傾斜角度に略対応するように傾斜した方向に延伸するスリット状の係合孔３１５ｂを形成してある。但し、係合孔３１５ｂが直線状に延伸するものであるとは限られず、屈曲若しくは湾曲しているようなものであっても構わない。そして、該係合孔３１５ｂの所要部位を選択して係合片５２ｂに係合させた上、接合部５１の上向面の外方端側の一部を接合面として天板１の開口１１の周縁部の下面に当接させ、ボルトで締結する等により接合する。結果、接合部５１の上向面の内方端側の残存部分が基体３１を下方より支持しながら、起立板５３が基体３１を天板１の開口１１の縁端面１１１側に押しつける状態となる。このようにして、天板１の開口１１の開口縁に縁端部材３を取り付ける。因みに、縁端部材３の固定の際に該縁端部材３が装着部材５に対して相対的にスライド移動してしまわないようにするためには、基体３１に形成すべき係合孔３１５ｂの複数の部位が互いに非平行な方向に延伸するような形状に成形し、これらの部位に各々の装着部材５の係合片５２ｂを係合させることが好ましい。図示例では、対称的な一対の係合孔３１５ｂを基体３１の左右に形成し、これら係合孔３１５ｂの同一高さ位置に各装着部材５の係合片５２ｂを係合させている。このような場合には、縁端部材３の固定に用いられる複数の装着部材５が相異なる形状（当該例では、図７及び図８上に示す左右の装着部材５２の係合片５２ｂの傾斜が互いに対称となる）をなす。なお、異なる厚み寸法を有する天板１に該縁端部材３を取り付けるときには、その厚み寸法に対応して係合片５２ｂに係合させる係合孔３１５ｂの部位を変える。即ち、図７に示すように、比較的厚い天板１に縁端部材３を取り付けようとするときには、低位置の部位を選択して係合片５２ｂを係合させるようにする。逆に、図８に示すように、比較的薄い天板１に縁端部材３を取り付けようとするときには、高位置の部位を選択して係合片５２ｂを係合させるようにする。上記のように、天板１の厚み寸法の連続的な変化に対応することができ、相異なる厚み寸法を有する天板１について、天板１上面３１２に対する縁端部材３（の上面３１２及び下面３１１）の相対的な高さ位置を一定に保つことが可能となる。縁端部材３を開口縁に固定した状態では、基体３１の上面３１２が天板１の上面３１２と略同一平面上ないしそれよりも高位置に存在する。
【００２３】
コンセントホルダ２は、電源ケーブルや情報ケーブル等のプラグを挿入するコンセント７を保持し得るホルダ本体２１と、ホルダ本体２１に設けた取付部材４とを主要な構成要素とする。ホルダ本体２１は、例えばアルミニウム等を材料とする押出成形品であり、内部に中空領域を内包しつつ幅方向に延伸する、概ね筒状のものである。ホルダ本体２１は、図９等に示すように、底板２１１の前端及び後端より略垂直に立ち上がる前側板２１２及び後側板２１２が上方に向かうにつれて次第に奥行き方向に開いてゆき、所定高さ位置で略水平に屈曲して傘状の上部構造２１３を構成するというような断面形状を有する。ホルダ本体２１の上部構造２１３の上面は、断面視上方に膨出する略部分円弧状をなす。この上面に、幅方向にわたって凹溝２１５を設けている。図示例では、互いに略平行な一対の凹溝２１５を、前後の中心線に略対称であるように設けてある。凹溝２１５の開口縁の上端部は互いに相寄る方向に若干進出しており、該凹溝２１５の開口縁の上端部と底面との間に薄板状のカバー６を差し入れることができるような空間領域を構成している。このようなホルダ本体２１に各種コンセント７を設置するにあたり、前記凹溝２１５の底面に、コンセント７を挿入し得る程度の比較的大きな、簡単な形状の開口２１６を切り抜いておくとともに、薄板状のカバー６には実際にコンセント７を固定するための開口６１を、コンセント７自体の形状等に対応した適当な形状に形成しておく。その上で、カバー６を前記空間領域に側方より差し入れ、しかる後にコンセント７をカバー６に形成した開口６１に係合させて該カバー６にコンセント７を組み付ける。このようにすれば、ホルダ本体２１を構築する押出成形部材には必ずしも複雑な加工を施す必要がなくなる。コンセント７につながるケーブルは、例えば、ホルダ本体２１の底板２１１に形成した貫通孔２１７に通すようにすればよい。因みに、コンセント７のホルダ本体２１への設置後、ホルダ本体２１の両端面を隠蔽するためのキャップ２２を取り付けることが好ましい。
【００２４】
取付部材４は、図１０等に示すように、上下方向に延伸する略円柱状の軸部４１と、軸部４１の下端部並びに上端部よりそれぞれ径方向に突出する上下一対の挟持部４２、４３とを具備する。下側の挟持部４３は略直方体状をなし、略水平な上向面４３１を有する。上側の挟持部４２は、略水平な下向面４２１を有する基板４２２と、基板４２２より略垂直に立ち上がる平板状の操作レバー４４とよりなる。軸部４１の上下端面には同一軸心上にそれぞれ上下に突出する回動軸４５を設けてある。これら回動軸４５は、レバーケース８に形成した上下一対の軸孔８１に係合する。レバーケース８は、奥行き方向の少なくとも一方に開口する概ね筐体状をなすもので、その開口１１の内に前記取付部材４を収容可能なものである。レバーケース８の上面３１２及び下面３１１には、先に述べた軸孔８１を形成してあり、これら軸孔８１に取付部材４の回動軸４５を係合させることにより、取付部材４がレバーケース８に対して相対的に回動可能であるように支持される。しかして、取付部材４並びにレバーケース８により構成されるレバーユニットを、ホルダ本体２１の外面、前後に突出する上部構造２１３のひさし部分２１４の直下の部位に取り付ける。例えば、レバーケース８とホルダ本体２１の前側板２１２若しくは後側板２１２とをボルトで締結する等により結合することで、レバーユニットをホルダ本体２１に、ひいては取付部材４をコンセントホルダ２に設けることができる。図示例では、レバーユニットはホルダ本体２１の前側及び後側にそれぞれ左右一対、合計４つ設けてある。
【００２５】
コンセントホルダ２に設けた取付部材４は、図１３及び図１４に示す、下側の挟持部４３がホルダ本体２１の延伸方向即ち幅方向に対して略垂直となる挟持位置Ｃと、図１１及び図１２に示す、下側の挟持部４３が幅方向に対して略平行となる離脱位置Ｓとを包含する範囲内で水平に回動させることができる。該取付部材４を回動操作するには、上側の挟持部４２と一体的に成形した操作レバー４４を使用すればよい。但し、操作レバー４４と挟持部４２とが一体的なものであるとは限られない。なお、本実施形態では、取付部材４の回動の中心軸方向から見て、軸部４１を基点とした上側の挟持部４２並びに操作レバー４４の突出方向と、下側の挟持部４３の突出方向とが、略４５度の角度をなす。つまり、取付部材４が挟持位置Ｃにあるとき、上側の挟持部４２並びに操作レバー４４がホルダ本体２１の延伸方向即ち幅方向に対して略４５度となり、取付部材４が離脱位置Ｓにあるとき、上側の挟持部４２並びに操作レバー４４が幅方向に対して略１３５度となる。
【００２６】
上述のように構成したコンセントホルダ２を天板１の開口１１に取り付けるには、各取付部材４を離脱位置Ｓとした上で、まず天板１の開口１１に対する所要の取付位置にコンセントホルダ２を配置する。この状態を、図１１に示す。この状態では、取付部材４の下側の挟持部４３、軸部４１の下方領域、レバーケース８の下方領域並びにホルダ本体２１の下部構造の一部（底板２１１、前側板２１２の一部、後側板２１２の一部）が縁端部材３の開口窓に挿入される。一方で、取付部材４の上側の挟持部４２の下向面４２１が、縁端部材３の基体３１の上面３１２と当接している。しかる後、各取付部材４を挟持位置Ｃまで回動させる。この状態を、図１２に示す。ここで、取付部材４の上側の挟持部４２が有する下向面４２１と下側の挟持部４３が有する上向面４３１との離間距離が、縁端部材３の基体３１が有する上面３１２と下面３１１との離間距離に略対応している。よって、取付部材４を挟持位置Ｃまで回動させることにより、取付部材４の両挟持部４２、４３が有する下向面４２１及び上向面４３１が、縁端部材３の基体３１が有する上面３１２及び下面３１１を挟持する。言い換えるならば、前記下向面４２１及び前記上向面４３１を一対の挟持面とし、前記上面３１２及び前記下面３１１を被挟持面として、取付部材４の両挟持部４２、４３で縁端部材３の基体３１を挟持する。この結果、コンセントホルダ２の天板１への取り付けが完了する。逆に、取り付けてあるコンセントホルダ２を天板１より取り外すときには、挟持位置Ｃにある取付部材４を離脱位置Ｓまで回動させる。すると、前記挟持面のうち一方即ち下側の挟持部４３の上向面４３１が、前記被挟持面のうち一方即ち基体３１の下面３１１と重なり合わなくなる。そうしておいて、コンセントホルダ２を縁端部材３の開口窓より上方に引き出せばよい。因みに、挟持位置Ｃと離脱位置Ｓとの間で取付部材４を回動操作する際、前記挟持面のうち他方即ち上側の挟持部４２の下向面４２１と、前記被挟持面のうち他方即ち基体３１の上面３１２とは、絶えず重なり合っている。従って、コンセントホルダ２を特に支え持ったりすることなく、簡便な操作でコンセントホルダ２の取り付けあるいは取り外しを遂行し得る。しかも、既存のクランプ装置のように、操作レバー４４を何回転もさせる必要はない。従って、取付部材４の周囲の全周にわたるスペースを確保しておく必要がないことから、取付部材４のホルダ本体２１への取り付けの簡略化をもたらし、オプション部材たるコンセントホルダ２の形状のデザインの自由度も高まる。
【００２７】
因みに、ホルダ本体２１に取り付けた左右のレバーユニット間において、ホルダ本体２１の前側板２１２若しくは後側板２１２と縁端部材３の基体３１の内向面３１３との間に空隙が存在する。この空隙は、例えば、天板１上に載置したコンピュータその他のＯＡ機器等のケーブルを落とし込むために利用できる。加えて、図１５に示すように、左右のレバーユニット間に、空隙を略隠蔽するための隙間隠蔽部材９を設けておくことが好ましい。隙間隠蔽部材９は、例えば軟質樹脂を素材とし、弾性を有するものとする。図示例の隙間隠蔽部材９は、等断面形状をなしながら幅方向に延伸するもので、ホルダ本体２１の前側板２１２及び後側板２１２にそれぞれ取り付けてある。
【００２８】
本実施形態によれば、天板付家具の天板１にオプション部材を取り付けるための構造として、前記天板１に形成してある開口１１の開口縁に取り付けられる縁端部材３の一部たる基体３１を、前記オプション部材に設けられる取付部材４の一部たる挟持部４２、４３で着脱可能に挟持させることとしたため、相異なる厚み寸法を有する天板１について縁端部材３を共用し、厚み寸法の相異を吸収することができる。この結果、天板１の厚み寸法に応じた別個のオプション部材を製造する必要がなくなる。
【００２９】
そして、前記縁端部材３または前記取付部材４のうち一方は上下方向に所定距離離間する一対の被挟持面を有し、他方は前記一対の被挟持面間の距離に略対応して離間する一対の挟持面を有するものとしたため、面接触で強く安定的に挟持でき、オプション部材の取付構造が安定する。
【００３０】
前記取付部材４が、前記オプション部材を所要の取付位置に配置した状態で、前記挟持面が前記被挟持面を挟持する挟持位置Ｃと、前記挟持面のうち少なくとも一方が前記被挟持面と重なり合わなくなる離脱位置Ｓとの間で略水平に回動可能なものであるため、簡便な操作でオプション部材の着脱を行うことができる。
【００３１】
前記取付部材４が、前記挟持面または前記被挟持面を有する挟持部４２と、該取付部材４を回動操作するための操作レバー４４とを具備するとともに、取付部材４の回動の中心軸方向から見て、前記挟持部４２の突出方向と前記操作レバー４４の突出方向との間に差異を設けているため、操作性やデザインの向上を図ることが可能となっている。
【００３２】
さらに、前記取付部材４の回動の中心軸方向から見て、前記挟持位置Ｃと前記離脱位置Ｓとの間の回動角度が略９０度となり、前記操作レバー４４の突出方向と前記挟持部４３の突出方向とが略４５度の角度をなすため、操作レバー４４が絶えず天板１の開口１１の周縁部の上に存在し、操作性の一層の向上をもたらしている。
【００３３】
前記縁端部材３が上下方向に所定距離離間する一対の被挟持面を有し、前記取付部材４が前記一対の被挟持面間の距離に略対応して離間する一対の挟持面を有しており、かつ前記取付部材４は、前記一対の挟持面の各々を有する上下一対の挟持部４２、４３と、該取付部材４を回動操作するために使用される操作レバー４４とを具備するとともに、前記操作レバー４４を、前記挟持部のうち上側にあるものと一体的に成形してあるため、取付部材４の構造が簡略なものとなっている。
【００３４】
前記縁端部材３を装着部材５を介して前記開口１１の開口縁に固定するようにしており、前記装着部材５には、前記開口１１の周縁部における天板１の下面に接合する接合面を有する接合部５１と、該接合部５１より上下方向に離間する係合片５２ａ、５２ｂとを設けるとともに、前記縁端部材３には、前記天板１の厚み寸法に対応して前記係合片５２ａ、５２ｂを異なる高さ位置で係合し得る係合孔３１５ａ、３１５ｂを形成しているため、縁端部材３、ひいては該縁端部材３が有する被挟持面の天板１上面３１２に対する相対的な配置を天板１の厚み寸法に依存せず一定とすることが可能となっている。この結果、天板１上面３１２に対するオプション部材の取り付け高さ位置が天板１の厚み寸法によらず一定に保たれる。
【００３５】
前記縁端部材３には、前記係合片５２ａに係合させる係合孔３１５ａを相異なる高さ位置に複数形成して、前記係合孔３１５ａの何れかを選択して前記係合片５２ａに係合させるように構成し、あるいは、前記縁端部材３には、前記係合片５２ｂに係合させた状態で前記装着部材５が相対的に上下方向の変位を伴うスライド移動をなし得るような係合孔３１５ｂを形成して、前記係合孔３１５ｂの所要部位を選択して前記係合片５２ｂに係合させるように構成しているため、異なる厚み寸法を有する天板１に有効に対応でき、また天板１に対して縁端部材３を取り付ける手順も共通化されていることから作業効率も高い。
【００３６】
前記縁端部材３が上下方向に所定距離離間する一対の被挟持面を有し、前記取付部材４が前記一対の被挟持面間の距離に略対応して離間する一対の挟持面を有しており、前記縁端部材３を前記開口１１の開口縁に固定した状態で、前記被挟持面のうち上側にあるものが前記天板１の上面３１２と略同一平面上ないしそれよりも高位置に存在するため、天板１上部と取付部材４との干渉を回避し得る。本実施形態では、天板１より上方に操作レバー４４を設けてあり、かつこの操作レバー４４を操作する際に天板１と干渉しあわないことから、優れた操作性を実現したものとなっている。
【００３７】
前記取付部材４を上方から略遮蔽するような遮蔽部たるホルダ本体２１の上部構造２１３（特に、そのひさし部分２１４）を設けているため、取付部材４が好適に隠蔽されて家具としての美観がより高まる。
【００３８】
天板１と、該天板１に形成した開口１１に取り付けられるオプション部材とを具備する天板付家具にあって、前記オプション部材の前記天板１への取り付けのための取付構造として上記の如き部材取付構造を適用することとすれば、着脱時の取り扱いを簡便なものとすることができ、かつ異なる厚み寸法の天板１について共通のオプション部材を用いることが可能となる。そして、前記オプション部材が、電源ケーブルや情報ケーブル等のプラグを挿入するコンセント７を保持し得るコンセントホルダ２であるため、天板１の上方にコンセント７を好適に露出させ得る。
【００３９】
なお、本発明は以上に詳述した実施形態に限られるものではない。まず、天板付家具とは、天板１を有している家具一般を云い、デスクには限られない。並びに、天板１の開口１１に取り付けられるオプション部材がコンセントホルダ２であるとは限られない。コンセントホルダ２以外のオプション部材の例として、照明機器、空調機器（エアーコンディショナーの噴出口や空気清浄機の吸入口、他）、植物を生ける花瓶やプランター、筆記用具その他の小物類を収納する小物入れ、あるいは各種コードを配線する配線ダクト、等を挙げることができる。
【００４０】
次に、天板１に形成してある開口１１が、本実施形態におけるもののように周縁の閉じたものであるとは限られない。よって、図１６に例示するように、天板１の外側方に形成した周縁の閉じていない開口１１にオプション部材を取り付けるために本発明を用いることが可能である。このような場合も含め、開口１１の開口縁に取り付けるべき縁端部材３は、必ずしも枠体状をなすものとは限られない。縁端部材３を枠体とせず、基体３１が直線状に延伸してなる棒状体とすることもできる。加えて、オプション部材に設けるべき取付部材４の個数及びそのオプション部材に対する位置も、本実施形態における態様には限られない。よって、例えば、ホルダ本体２１の前側あるいは後側にのみレバーユニットを取り付けるものとしてもよい。
【００４１】
さらに、本実施形態では、取付部材４の一部で縁端部材３の一部を挟持させていたが、それとは逆に、図１７及び図１８に示すように、縁端部材３の基体３１に挟持面３１ｘを、取付部材４の挟持部４２に被挟持面４２ｘを設定して、縁端部材３の一部で取付部材４の一部を挟持させるものとしてもよい。因みに、図１７は先に示した図１１に相当し、図１８は先に示した図１３に相当する。その他の要素は上記実施形態におけるものと同様に構成できるため、ここでは説明を省略する。このようなものであっても、上述した各効果を奏し得るものとなる。
【００４２】
その他各部の具体的構成は上記実施形態には限られず、本発明の趣旨を逸脱しない範囲で種々変形が可能である。
【００４３】
【発明の効果】
以上に詳述した本発明によれば、天板付家具の天板にオプション部材を取り付けるに際し、天板の厚み寸法の相異に対応できかつその取り扱いが簡便であるような取付構造を実現し得る。
【図面の簡単な説明】
【図１】本発明の一実施形態における天板付家具の全体斜視図。
【図２】同部分分解斜視図。
【図３】同部分分解斜視図。
【図４】同部分断面図。
【図５】同部分断面図。
【図６】同部分分解斜視図。
【図７】同部分正面図。
【図８】同部分正面図。
【図９】同部分分解斜視図。
【図１０】同部分分解斜視図。
【図１１】同部分断面図。
【図１２】挟持位置にある取付部材を模式的に示す図。
【図１３】同部分断面図。
【図１４】離脱位置にある取付部材を模式的に示す図。
【図１５】同部分端面図。
【図１６】本発明の一変形例を示す全体斜視図。
【図１７】本発明の一変形例を示す部分断面図。
【図１８】同部分断面図。
【符号の説明】
１…天板
２…オプション部材（コンセントホルダ）
３…縁端部材
４…取付部材
３１１、３１２、４２ｘ…被挟持面
４２１、４３１、３１ｘ…挟持面
【図１】
2004229944.tif 000003
【図２】
2004229944.tif 000004
【図３】
2004229944.tif 000005
【図４】
2004229944.tif 000006
【図５】
2004229944.tif 000007
【図６】
2004229944.tif 000008
【図７】
2004229944.tif 000009
【図８】
2004229944.tif 000010
【図９】
2004229944.tif 000011
【図１０】
2004229944.tif 000012
【図１１】
2004229944.tif 000013
【図１２】
2004229944.tif 000014
【図１３】
2004229944.tif 000015
【図１４】
2004229944.tif 000016
【図１５】
2004229944.tif 000017
【図１６】
2004229944.tif 000018
【図１７】
2004229944.tif 000019
【図１８】
2004229944.tif 000020